(57)【特許請求の範囲】
【請求項１】
エアゾール容器の容器本体、塗布具、及び塗布具を覆って容器本体上部に冠着するキャップを備えたエアゾール容器であって、
塗布具は容器本体のステムに着脱自在に嵌合されるステム挿入部、容器本体内の内容物を吐出させる塗布体、ステム挿入部と塗布体を繋ぐ軸体及び軸体から側方に突出した突出部を有し、
キャップは縮径部を有し、該縮径部は、キャップの容器本体上部への冠着時に塗布具の突出部に係合して内容物が吐出されないように塗布具を押圧し、塗布具のステム挿入部と容器本体のステムとを嵌合させるエアゾール容器。
【請求項２】
ステム挿入部は、ステムに接する環状内壁が容器本体側に向かって広がる断面ハ字型である請求項１記載のエアゾール容器。
【請求項３】
塗布具が、容器本体の上部カバーに蝶着されている請求項１又は２記載のエアゾール容器。
【請求項４】
突出部が、塗布具の押しボタンである請求項１〜３のいずれかに記載のエアゾール容器。
【請求項５】
塗布体が、容器本体内の内容物を吐出させる吐出孔を備えた櫛歯と、櫛歯が起立する土台部材を有する請求項１〜４のいずれかに記載のエアゾール容器。
【請求項６】
キャップが、容器本体上部への冠着時に、櫛歯が起立する土台部材の上端部を押圧する突起をキャップ内側天面に有する請求項５記載のエアゾール容器。
【請求項７】
キャップ内側天面の突起により押圧される土台部材の上端角部が面取りされて平坦部を有する請求項６記載のエアゾール容器。
【発明の詳細な説明】
【技術分野】
【０００１】
本発明は、塗布具とそれを覆うキャップを備えたエアゾール容器に関する。
【背景技術】
【０００２】
エアゾール容器の容器本体のステム上に、櫛歯を並列させた塗布具を装着し、塗布具に設けられている押しボタンを押し下げることにより、容器本体内の毛髪化粧料等が塗布具から吐出するようにしたエアゾール容器がある（特許文献１、特許文献２）。
【０００３】
また、このようなエアゾール容器において、塗布具を容器本体から着脱自在とし、随時、塗布具を容器本体から外して塗布具の外部だけでなく内部も洗浄できるようにすることや、塗布具を覆うキャップを容器本体上部に冠着することがなされている。
【０００４】
【特許文献１】登録実用新案第３０２１３４５号公報
【特許文献２】特開２００５−２０６２１１号公報
【発明の開示】
【発明が解決しようとする課題】
【０００５】
塗布具を容器本体から着脱自在としたエアゾール容器では、その着脱に伴い塗布具に設けられているステム挿入部と容器本体のステムとの嵌脱がなされるが、洗浄等のために塗布具を一旦容器本体から外し、再度装着した場合に、装着操作が不完全であったり、容器本体のステムや、塗布具に設けられているステム挿入部が摩耗していたりすると、容器本体のステムと塗布具のステム挿入部とが嵌合しないことがあり、そのまま放置しておくと、塗布具内の残留液がステムの周囲に液だれしてくるため、その周囲が汚れるという問題が生じる。また、嵌合不良により塗布具が傾いている状態で塗布具の上からキャップを冠着すると、塗布具がキャップ内壁に押し付けられて塗布具が変形するおそれがある。特に、塗布具の変形は、櫛歯がキャップ内壁に押し付けられた場合に生じやすい。
【０００６】
これに対し、本発明は、エアゾール容器の容器本体から一旦外した塗布具を再度容器本体に装着する際の、容器本体のステムと塗布具のステム挿入部との嵌合不良を解消することを目的とする。
【課題を解決するための手段】
【０００７】
本発明者は、塗布具を容器本体のステム上に装着し、さらに、塗布具を覆うキャップを容器本体上部に冠着させたときに、キャップで塗布具が適度に容器本体方向に押し込まれるようにすると、ステムとステム挿入部とを簡便に嵌合させられることを見出した。
【０００８】
即ち、本発明は、エアゾール容器の容器本体、塗布具、及び塗布具を覆って容器本体上部に冠着するキャップを備えたエアゾール容器であって、塗布具は容器本体のステムに着脱自在に嵌合されるステム挿入部、容器本体内の内容物を吐出させる塗布体、ステム挿入部と塗布体を繋ぐ軸体及び軸体から側方に突出した突出部を有し、キャップは縮径部を有し、該縮径部は、キャップの容器本体上部への冠着時に塗布具の突出部に係合して塗布具を押圧し、塗布具のステム挿入部と容器本体のステムとを嵌合させるエアゾール容器を提供する。
【発明の効果】
【０００９】
本発明のエアゾール容器によれば、塗布具の洗浄等のために一旦塗布具をエアゾール容器のステム上から外し、再度エアゾール容器のステム上に装着した場合に、塗布具上からキャップを冠着させると、キャップが適度に塗布具を容器本体方向に押し込むので、塗布具のステム挿入部と容器本体のステムとが嵌合した状態になる。このため、この嵌合不良により生じる不用な液だれや塗布具の変形を解消することができる。
【発明を実施するための最良の形態】
【００１０】
以下、図面を参照しつつ本発明を詳細に説明する。なお、各図中、同一符号は同一又は同等の構成要素を表している。
【００１１】
図１は、本発明の一態様のエアゾール容器１の切欠斜視図である。このエアゾール容器１は、染毛剤等の毛髪化粧料が噴射剤と共に収容された容器本体２、容器本体上部の上部カバー３にヒンジ部４で蝶着している塗布具１０、塗布具１０を覆って上部カバー３に冠着するキャップ２０Ａからなっている。
【００１２】
塗布部１０は、容器本体２内の毛髪化粧料を吐出させる塗布体として櫛部１３を有する。櫛部１３は、土台部材１１とそこに並列した櫛歯１２からなり、土台部材１１における櫛歯起立面が鉛直方向に対して斜めになっていることにより、各櫛歯１２の起立方向も鉛直方向に対して斜めとなっている。土台部材１１及び櫛歯１２には内部に通液路が形成され、櫛歯１２には吐出孔（図示せず）が開口している。
【００１３】
また、塗布部１０は櫛部１３に繋がる軸体１４を有する。軸体１４の内部には櫛部１３の通液路に連通した通液路１５が形成されている。通液路１５の容器本体側端部にはステム挿入部１６が形成されており、ステム挿入部１６と、容器本体２から突出しているステム５とが着脱自在に嵌合する。ここで、ステム挿入部１６は、ステム５に接する部分が容器本体側に向かって広がる断面ハ字型の環状内壁１６ａとなっており、ステム挿入部１６とステム５との嵌合可能な位置に幅がもたせられている。即ち、ステム５の先端がステム挿入部１６のハ字型の環状内壁１６ａ内に位置すれば、軽い押し込みによりステム５とステム挿入部１６とを嵌合状態にすることができる。
【００１４】
軸体１４は、側方に突出した押しボタン１７を有している。この押しボタン１７を押し下げるとヒンジ部４を支点として塗布具１０が傾き、ステム５が容器本体２方向に押し込まれ、容器本体内の毛髪化粧料が、通液路１５を通って櫛歯１２から吐出する。
【００１５】
なお、軸体１４、ヒンジ部４、及び上部カバー３は一体に樹脂成形されていてもよい。
【００１６】
キャップ２０Ａは、それを容器本体の上部カバー３に押し込むことにより、上部カバー３に冠着する。また、キャップ２０Ａの内壁には環状リブ２２が設けられており、環状リブ２２の形成部分は、キャップ内径の狭い縮径部２１となっている。
【００１７】
このエアゾール容器１においては、キャップ２０Ａを容器本体の上部カバー３に冠着させると、環状リブ２２が塗布具１０の押しボタン１７と係合して塗布具１０を適度に押し下げ、塗布具１０のステム挿入部１６とステム５とを嵌合させることを特徴としており、次のような効果を奏する。
【００１８】
即ち、図２の矢印ａのように、ヒンジ部４を支点としてエアゾール容器１の塗布具１０を倒すことによりステム挿入部１６とステム５との嵌合を外し、塗布具１０の通液路１５や表面を洗浄した後、再度、塗布具１０をステム５上に装着した場合に、図２に示すように、塗布具１０の装着が不完全でステム挿入部１６とステム５とが嵌合していないことがある。このような装着不良は、ステム５やステム挿入部１６が使用により摩耗している場合にも生じる。装着不良のまま放置しておくと、櫛部１３や軸体１４に残留していた洗浄液が次第にたれてステム５の周りに溜まり、周囲を汚す原因となる。
【００１９】
そこで、一旦、塗布具１０をステム５上から外し、再度ステム５上に装着した場合には、速やかにキャップ２０Ａを冠着する。これにより、塗布具１０が適度に容器本体方向に押し込まれ、図１に示したように、ステム挿入部１６とステム５とが嵌合し、ステム５の周囲に液だれが不用に生じることを防止できる。特に、このエアゾール容器１では、ステム挿入部１６が断面ハ字型の環状内壁１６ａから形成されていることにより嵌合可能な位置に幅があるため、キャップ２０Ａの冠着により塗布具１０を容器本体方向に押し込むだけで容易にステム５とステム挿入部１６とが嵌合する。また、これにより塗布具１０は本来の向きで上部カバー３上に起立することとなるので、櫛歯１２がキャップ２０Ａに押し付けられることもなく、キャップへの押し付けによる櫛歯１２の変形も生じない。
【００２０】
なお、キャップ２０Ａの冠着時に環状リブ２２が係合する塗布具１０の突出部は、押しボタン１７に限られないが、押しボタン１７と係合させると、別途突出部を形成することが不要となり、従前の塗布具１０を使用できるので有利である。
【００２１】
本発明は、上述の態様に限られず、種々の態様をとることができる。例えば、図１のエアゾール容器１において、環状リブ２２を有するキャップ２０Ａに代えて、図３に示すキャップ２０Ｂのように、押しボタン１７と係合する部分から上のキャップ全体の内径及び外径を細くしてもよい。このキャップ２０Ｂは、環状リブ２２を有するキャップ２２Ａに比して成型時の型抜きに無理がないが、縮径部２１がキャップ２０Ｂの外観上視認されるので、縮径部２１がキャップのデザインに影響する。
【００２２】
また、図４のキャップ２０Ｃのように、縮径部２１でキャップの肉厚を変え、押しボタン１７と係合する部分から上のキャップ全体の内径を細くするが、外径は、押しボタン１７の上下で同一としてもよい。このキャップ２０Ｃも、環状リブ２２を設けるキャップ２０Ａに比して容易に成型することができる。
【００２３】
この他、上述の態様では、いずれも縮径部２１で階段状にキャップの内径を変えているが、テーパー状に連続的にキャップの内径を変えてもよい。
【００２４】
また、図５に示すキャップ２０Ｄのように、キャップ２０Ｄの内側に、その天面から延長するように複数の縦リブ２３を設け、縮径部２１を形成してもよい。図６に示すキャップ２０Ｅのように、キャップ２０Ｅを容器本体の上部カバー３に冠着させるときに、カバー３上の突起６とキャップ２０Ｅの切欠部２４とを嵌合させるなどにより、塗布具１０に対してキャップ２０Ｅが常時同一方向をとるようにキャップ２０Ｅの冠着向きを規制した場合には、キャップ内壁の押しボタン１７と係合する位置に縦リブ２３を形成してもよい。このような縦リブ２３によれば、環状リブ２２等の横リブと異なり、型抜きでアンダーカットにならないので好ましい。
【００２５】
さらに、キャップを容器本体上部に冠着させた時のステム挿入部１６とステム５との嵌合をより確実にするため、図７Ａ及び図７Ｂに示す塗布具１０Ｂのように、櫛歯１２が並列する土台部材１１の先端に、角部を面取りした平坦部１８を設け、一方、キャップ２０Ｆには、塗布具１０Ｂの平坦部１８を押圧できるように、キャップ内側天面に突起２５を設けてもよい。
【００２６】
なお、上述のいずれのキャップ２０Ａ〜２０Ｆについても、それを容器本体の上部カバー３に冠着させるにあたり、キャップ２０Ａ〜２０Ｆを上部カバー３に押し込むことにより、キャップ２０Ａ〜２０Ｆと上部カバー３とが掛合するようにしてもよく、キャップ２０Ａ〜２０Ｆと上部カバー３が螺合するようにネジを切ってもよい。
【００２７】
本発明において、塗布具１０自体の構成には特に限定はないが、好ましくは、一旦ステム上から外した塗布具を再度ステム上に装着した場合の液だれを防止するという本発明の効果を奏じさせる点から、内部に通液路を備えた塗布具とする。このような塗布具としては、例えば、前述のように、塗布体として、櫛歯１２の起立方向が斜めになっている櫛部１３を有するものの他、櫛歯の起立方向が垂直方向になっている所謂バリカン型の塗布体を有するものでもよい。さらに、櫛歯に代えて、刷毛、スポンジ等を備えた塗布体であってもよい。
【００２８】
容器本体２に収容する内容物も毛髪化粧料に限らず、マスカラ、洗剤、糊剤等とすることができる。
【００２９】
また、容器本体２は、これらの内容物を噴射剤と共に収容するものでもよく、また、これらの内容物を噴射剤と区分して収容する二重容器であってもよい。
【産業上の利用可能性】
【００３０】
本発明は、塗布具付のエアゾール容器として幅広い用途を有する。
【図面の簡単な説明】
【００３１】
【図１】エアゾール容器の切欠斜視図である。
【図２】エアゾール容器における塗布具の装着状態の説明図である。
【図３】エアゾール容器のキャップ部分の切欠図である。
【図４】エアゾール容器のキャップ部分の切欠図である。
【図５】エアゾール容器のキャップ部分の切欠図である。
【図６】エアゾール容器のキャップ部分の切欠図である。
【図７Ａ】エアゾール容器のキャップ部分の切欠図である。
【図７Ｂ】エアゾール容器のキャップ部分の断面図である。
【符号の説明】
【００３２】
１    エアゾール容器
２    容器本体
３    上部カバー
４    ヒンジ部
５    ステム
６    突起
１０、１０Ｂ    塗布具
１１    土台部材
１２    櫛歯
１３    櫛部
１４    軸体
１５    通液路
１６    ステム挿入部
１７    押しボタン
１８    平坦部
２０Ａ、２０Ｂ、２０Ｃ、２０Ｄ、２０Ｅ、２０Ｆ    キャップ
２１    縮径部
２２    環状リブ
２３    縦リブ
２４    切欠部
２５    突起
【図１】
0005019047.tif 000002
【図２】
0005019047.tif 000003
【図３】
0005019047.tif 000004
【図４】
0005019047.tif 000005
【図５】
0005019047.tif 000006
【図６】
0005019047.tif 000007
【図７Ａ】
0005019047.tif 000008
【図７Ｂ】
0005019047.tif 000009